(57)【要約】      （修正有）【課題】簡便にベルが鳴る状態と消音状態に切り換えができる転動体ベルを提供する。【解決手段】ベル本体１と転動体４が上面を転がり遊動する転動面５とを備え、転動体４が転動面５に沿って転がりベル本体１に当たりベルが鳴るものであって、転動体４を転動面５から離間させる、磁力吸着手段である、遊動制限部を設けた。【選択図】図１
2015014782.tif 000002
【特許請求の範囲】
【請求項１】
ベル本体と転動体が上面を転がり遊動する転動面とを備え、
転動体が前記転動面に沿って転がりベル本体に当たりベルが鳴るものであって、
前記転動体を転動面から離間させる遊動制限部を設けたことを特徴とする転動体ベル。
【請求項２】
前記遊動制限部は転動体を転動面から浮上した状態に吸着する磁力吸着手段であることを特徴とする請求項１記載の転動体ベル。
【請求項３】
前記磁力吸着手段は転動体を磁力に反して落下させる離脱部材を有することを特徴とする請求項２記載の転動体ベル。
【請求項４】
前記ベル本体と転動面とで転動体を収納する内部空間を形成し、
前記内部空間に転動体を転動面から離間させる遊動制限部を設けたことを特徴とする請求項１記載の転動体ベル。
【発明の詳細な説明】
【技術分野】
【０００１】
本発明は、ベル全体が揺動することにより概略球状の転動体とベル本体とが接触して音が鳴る転動体ベルに関するものである。
【背景技術】
【０００２】
転動体ベルは揺動により、転動体がベル本体に衝突してベルが鳴るものである。
しかしながら、構造上、未使用時に音が鳴らないようにするには、鈴内部に木綿や紙等を入れるなどの工夫が必要とされた。
最近では、特許文献１（実用新案登録第３１０１４９１号）のように、ベル本体を袋でかぶせるように工夫し、加えて磁石等で固定する方法が考案されている。
また、特許文献２（特許第４３２８８３８号）に示されているように、転動体を磁石にして外部に吸着手段を設けることにより鳴らす必要のある時のみ、鳴らす転動体ベル等も提案されている。
しかしながら、音を止めるために消音用の袋を用意したり、消音用の磁性体を外部から取り付けたりする必要があるために所作が煩雑であった。
そのため、音を止めるための手段がより簡便にできる転動体ベルが求められていた。
さらには音を止めている未使用時においても、緊急の場合に対応して簡便に音が鳴る使用状態に復帰できる転動体ベルも同時に求められていた。
【先行技術文献】
【特許文献】
【０００３】
【特許文献１】実用新案登録第３１０１４９１号公報
【特許文献２】特許第４３２８８３８号公報
【発明の概要】
【発明が解決しようとする課題】
【０００４】
本発明は、簡便にベルが鳴る状態と消音状態に切り換えができる転動体ベルの提供を目的とする。
【課題を解決するための手段】
【０００５】
本発明に係る転動体ベルは、ベル本体と転動体が上面を転がり遊動する転動面とを備え、転動体が前記転動面に沿って転がりベル本体に当たりベルが鳴るものであって、前記転動体を転動面から離間させる遊動制限部を設けたことを特徴とする。
【０００６】
ここで、遊動制限部は転動体を転動面から浮上した状態に吸着する磁力吸着手段である例が挙げられる。
例えば、転動体ベルの転動体を磁性体とし、磁性体を吸着する磁力吸着部を遊動制限部として設けることができる。
転動体が吸着部で吸着され、移動が制限されるためにベル本体が揺動してもベルは鳴らない。
図４（ａ）は、後述する実施例を示す図である。
転動体が転動体ベルのベル本体上方の吸着部に吸着され、移動が制限されている状態を表している。
図４（ａ）のように吸着部が上方にあると、転動体の吸着部から吸着離脱等の着脱が簡便に行えて都合がよい。
【０００７】
加えて、磁力吸着手段は転動体を磁力に反して落下させる離脱部材を有するようにすると、この離脱部材を用いて転動体を吸着部より簡便に離脱することができるようにしておくと便利である。
離脱部材は、転動体を磁石等による吸着部から離脱させるために転動体を押すなどして、移動させるためのものであればよい。
好ましくは、棒状のもので小突くようにして押し出してやる構造であるとノック式ボールペン等のように外部から操作しやすい。
また、離脱部材を棒状のもので小突いて押し出すように構成した場合、端部をロート状に拡径した受け口形状としておくと、正確に吸着離脱することができるので好ましい。
小突いて吸着離脱させた後は、バネ等を利用して元の状態に戻る構造であれば転動体を吸着できる状態に準備できるので便利である。
【０００８】
この場合、吸着部にドーナツ形状の磁石を用いると無理なく転動体をドーナツ形状の中央空間部を利用して、中央を小突いて押し動かすことができて便利である。
特にドーナツ形状の面方向に極性を持つ磁石は、磁石の中心部に転動体が収まろうと磁力が作用するので扱いやすい。
【０００９】
転動体を離脱した状態から吸着部への誘導方法について言及する。
吸着部をベル本体内部上方に構成しておくと、転動体ベルを反転させて重力により誘導できるので、極めてシンプルである。
磁性体の吸着力を調整しておけば反転させることなく、簡単に上下にベル本体を揺することで転動体を上方にある吸着部に吸着させる手段も可能である。
【００１０】
離脱部材の構成において、転動体を小突き押し動かす用具として棒状の中空部を有するパイプ形状のものを使う方法もある。
この場合に中央中空部に固定された棒状端部を吸着部とすることで、同様の効果を得ることができる。
また、前記固定された棒状端部を吸着部とした場合に、固定させた棒状端部の位置（図３においては中空部に沿って垂直方向上下に）を移動させることにより吸着誘導作用をさせたり、離脱作用をさせたりすることができる。
もちろん、棒状の中空部を有するパイプ形状の小突き押し動かす構造との併用も可能であり、吸着保持部の上下の高さの位置を適宜変更できる構造であると便利である。
本発明において、転動体の遊動制限手段は磁力に限定されるものではなく、ベル本体と転動面とで転動体を収納する内部空間を形成し、前記内部空間に転動体を転動面から離間させる遊動制限部を設け、この遊動制限部として内部にスプーン状の転動体収納部を設けたり、吸引パイプを設けることもできる。
【発明の効果】
【００１１】
本発明は、転動体の遊動制限部を磁力による吸着部を設けたり、転動体ベルの内部に転動体を転動面から離間させる手段を設けると、音を止めるための手段が簡便に行えるようになった。
【００１２】
加えて、吸着部を転動体ベル上方に設けることにより転動体ベルを反転させて重力により、容易に転動体を吸着部に導くことができる。
磁性体による磁力を適度に調整すれば転動体ベルを反転させることなく、転動体ベルを上下に揺らすことで吸着部に導くことも可能になる。
【００１３】
また、離脱部材によって簡便に吸着部から転動体を離脱可能とすることができる。
【００１４】
磁力による転動体の吸着による場合において、磁石の強さや吸着部での転動体との吸着距離等を調整して磁力を適宜な状態にして吸着させておくことで、意識的に強く振動させることで転動体を離脱できるように調整できる。
この作用は、緊急事態において特段の効果を発揮する。
例えば、熊ベル等に転動体ベルを用いた場合の山における遭難や、思わぬ事故において緊急にベル音が必要なときに瞬間的に強く振るだけで音が出せることは重要である。
【図面の簡単な説明】
【００１５】
【図１】本発明に係る転動体ベルの構造例を示し、（ａ）は転動体をベル本体の内部の上部に吸着させた状態、（ｂ），（ｃ）は離脱部材にて転動体を突き出し、落下させる状態を示す。
【図２】吸着部と磁石を別部材にした例を示し、（ａ）は転動体の磁着状態、（ｂ），（ｃ）は転動体を落下させる状態を示す。
【図３】吸着及び離脱部材をパイプ形状と突き出し棒とで構成した例を示す。（ａ）は転動体の吸着状態、（ｂ）は転動体を落下させた状態を示す。
【図４】（ａ）はベル本体の上部内側に磁石を設けた例、（ｂ）はスプーン状の収納部を内部に設けた例、（ｃ）は吸引パイプを設けた例を示す。
【図５】転動体ベルの全体構造例を示す。
【発明を実施するための形態】
【００１６】
図５は、転動体ベルの説明図である。
図１〜図４は、ベル本体と転動面を模式的に示したものである。
図１〜図５までの説明図は、縦中心部を垂直方向に切断面で示した縦中央端面である。
実施形態は、縦中心部を中心にした概略回転体で表される。
【００１７】
まず、発明の実施例で示される転動体ベルの基本形態について図５を用いて説明する。
図５は、転動体ベルの一例である。
図５は、ベル本体１の外部に振動を抑制するような接触をすることなく保護部１０で覆い、その保護部の延長で転動体４が遊動する転動面５を固定保持し、ベル本体１との距離を一定に保つようにされているものである。
図５の例では、持手部１１を有する。
基本構成は、ベル本体１と概略球形の転動体４が転動する転動面５で構成されている。
転動面５は、ベル本体１の振動を妨げないように隙間５ａを有するように保護部１０等に固定されている。
また、持手部１１にフレーム材等を用いて固定してもよい。
概略球体の転動体４は、転動体ベルが揺動することで転動面５で遊動して、ベル本体１の縁部に衝突して音を発する。
この基本的転動体ベルの構成から鳴るベル本体１，概略球状の転動体４，転動面５を用いて、実施例の説明を行う。
以下、本発明の実施形態の実施例を具体的に説明する。
【００１８】
図２で示される形態は、ベル本体１内部の上方に吸着部２を有する形態である。
吸着部２は、ドーナツ形状の磁石３で構成されている。
図１（ａ）は、転動体ベル内部の転動体４が吸着部２に吸着されている状態を表している。
図１（ａ）の状態から棒状の離脱部材６によって、図１（ｂ），（ｃ）のように小突いて押し動かし、転動体４を吸着部２から離脱させるようにして転動体４が通常使用時の遊動形態にすることができる。
図１（ｃ）の形態から、棒状の離脱部材６が図１（ａ）の位置にコイルバネ等を用いて常に戻る形態にしてもよい。
その場合において、図１（ａ）のように転動体を吸着状態に保持して音を出したくない状態にする手段は、転動体ベルを反転させて重力により転動体４を吸着部２に吸着させるとよい。
あるいは、転動体４を上方にある吸着部２に近づくように、垂直方向上下に遊動させてもよい。
バランスよく転動体４と吸着部２との磁力を適宜調整しておけば、前記転動体４の着脱が心地よく行える。
【００１９】
図２では、磁石３とは別に離脱部材６の棒状の端部を受け皿形状の吸着部２としたものである。
実施例１と同様に、図４から図５と転動体を着脱する形態としたものである。
【００２０】
図３は、パイプ形状と棒状の押出部で離脱部材６として利用したものである。
パイプ形状部６ａの中空部にスライド挿入した棒部材６ｃ端部に磁石３を有しており、パイプ形状部の先端部は、ロート状に拡径した受け部６ｂとなっている。
このようにすると、パイプ形状部６ａと棒部材６ｃを一体的に上下動することで転動体４を吸着でき、棒部材６ｃを突出させることで転動体４を落下させることができる。
【００２１】
図４は、他の実施例を示す。
図４（ａ）は、転動体ベルの転動体４を磁性体とし、内部に転動体を吸着するための磁性体を吸着する吸着部２として磁石３を設けてある。
転動体４が吸着部２で吸着され、移動が制限されるためにベル本体が揺動してもベルは鳴らない。
図４（ａ）は、転動体４が転動体ベルのベル本体１上方の吸着部に吸着され、移動が制限される状態を表している。
図４（ａ）のように吸着部２が上方にあると、転動体の吸着部からの吸着離脱等の着脱が簡便に行えて都合がよい。
図４（ｂ）は、ベル本体１と転動面５にて内部空間を形成し、内部にスプーン状の転動体収納部７を形成した例である。
ベルを反転させることで転動体４を転動面から離間した状態になるように、転動体収納部７にこの転動体４を収納し、ベルとして使用する時はベル本体１を軽く振るだけで転動体４が下に落下する。
図４（ｃ）は、上下動する吸引パイプ８を設けた例である。
ゴム吸引具等を吸引パイプの上部に取り付け、エアー吸引により転動体４を吸着する例である。
【符号の説明】
【００２２】
１        ベル本体
２        吸着部
３        磁石
４        転動体
５        転動面
６        離脱部材
【図１】
2015014782.tif 000003
【図２】
2015014782.tif 000004
【図３】
2015014782.tif 000005
【図４】
2015014782.tif 000006
【図５】
2015014782.tif 000007